(57)【特許請求の範囲】
【請求項１】
隣り合わせに配置した複数の下フレームと、下フレームに架設したローラと、上フレームと、連結材とを備え、下フレームは、ローラを回転自在に支持しており、上フレームは、下フレームに載せてあると共にローラの上側面を露出する開口部を有し、連結材は、下フレームと上フレームを連結すると共に隣り合う下フレーム同士を連結していることを特徴とする棚板。
【請求項２】
ローラは、前後方向に間隔をあけて複数設けてあり、上フレームには、前後で隣り合うローラ間にローラの上側面の頂点と略同一高さの第１突起が設けてあると共に、連結材が位置する部分にローラの上側面の頂点と略同一高さの第２突起が設けてあることを特徴とする請求項１に記載の棚板。
【発明の詳細な説明】
【技術分野】
【０００１】
本発明は、商品を陳列するショーケース等に用いる棚板に関する。
【背景技術】
【０００２】
特許文献１には、下フレームにローラを架設し、下フレームにローラを回転自在に支持すると共に下フレームに上フレームを載せて、上フレームに設けた開口部からローラの上側面を露出する棚板が開示されている。
【先行技術文献】
【特許文献】
【０００３】
【特許文献１】特開２０１３−２０２３５０号公報
【発明の概要】
【発明が解決しようとする課題】
【０００４】
しかし、従来技術の棚板は、ローラを配置した下フレームに上フレームを載せてあるだけなので、棚板を運搬中に、下フレームに対して上フレームがずれたり外れて、ローラが脱落するおそれがあった。
【０００５】
そこで、本発明は、棚板の運搬中にローラの脱落を防止できる棚板の提供を目的とする。
【課題を解決するための手段】
【０００６】
請求項１に記載の発明は、隣り合わせに配置した複数の下フレームと、下フレームに架設したローラと、上フレームと、連結材とを備え、下フレームは、ローラを回転自在に支持しており、上フレームは、下フレームに載せてあると共にローラの上側面を露出する開口部を有し、連結材は、下フレームと上フレームを連結すると共に隣り合う下フレーム同士を連結していることを特徴とする棚板である。
【０００７】
請求項２に記載の発明は、請求項１に記載の発明において、ローラは、前後方向に間隔をあけて複数設けてあり、上フレームには、前後で隣り合うローラ間にローラの上側面の頂点と略同一高さの第１突起が設けてあると共に、連結材が位置する部分にローラの上側面の頂点と略同一高さの第２突起が設けてあることを特徴とする。
【発明の効果】
【０００８】
請求項１に記載の発明によれば、連結材は下フレームと上フレームを連結しているので、上フレームが下フレームに対してずれたり外れることによるローラの脱落を防止できる。
連結材は、隣り合う下フレームを連結しているので、隣り合う下フレームを一体に保持できると共に上フレームにも連結することで、下フレームの保持強度を高めることができる。
【０００９】
請求項２に記載の発明によれば、請求項１に記載の作用効果を奏すると共に、上フレームにおいて、前後に隣り合うローラ間では第１突起により、連結材が位置する箇所では第２突起により棚板上の商品を支持することで、商品の移動をスムーズにできる。
【図面の簡単な説明】
【００１０】
【図１】本発明の第１実施の形態にかかる棚板をショーケースに取付けた状態を示す縦断面図である。
【図２】図１に示す棚板の前後方向中間部を抜き出して示すと共に棚板を分解して示す断面図である。
【図３】第１実施の形態にかかる棚板の側面図であり、（ａ）は中間連結材（連結材）及び後部連結材を装着する前の状態を示し、（ｂ）は各連結材を装着した後の状態を示す図である。
【図４】第１実施の形態にかかる棚板であって、中間連結材を取付ける前の状態を示す斜視図である。
【図５】本発明の第１実施の形態にかかる棚板であって、図４に示すＢ−Ｂ位置で切断した断面図である。
【図６】本発明の第１実施の形態にかかる棚板の分解斜視図であって、ローラを除いて示す図である。
【図７】本発明の第１実施の形態にかかる棚板を備える棚の分解斜視図である。
【図８】図１示す棚の横断面図である。
【図９】本発明の第２実施の形態にかかる棚板であって、図４に示すＢ−Ｂ位置に対応する位置で切断した断面図であり、中間連結材を取付ける前の状態を示す図である。
【図１０】図９に示す棚板を分解して示す断面図である。
【図１１】本発明の第２実施の形態にかかる棚板であって、上フレームを省略して示すと共に中間連結材を取付ける前の状態を示す斜視図である。
【図１２】第１実施の形態にかかる棚板の変形例を示す側面図であり、（ａ）は中間連結材（連結材）及び後部連結材を装着する前の状態を示し、（ｂ）は各連結材を装着した後の状態を示す図である。
【発明を実施するための形態】
【００１１】
以下に、添付図面を参照して本発明の実施の形態を説明するが、まず図１〜図８を参照して本発明の第１実施の形態について説明する。
図１に示すように、本発明の第１実施の形態にかかる棚板１は、商品を陳列するショーケース３内に配置された棚５に用いられるものであり、棚５はショーケース３の前側と後側とで各々左右に設けた支柱７に取付けたブラケット９に固定してある。棚５は、後側を高く前側を低くして、前後方向に角度Ｒで傾斜して設けてある。
図１及び図７に示すように、棚５は、左右に配置した２枚の棚板１と、２枚の棚板１を囲む枠１１とで構成してあり、枠１１は、前面枠材１３と、後面枠材１５と、左右の側面枠材１７とで枠組みしてあり、前面枠材１３には前側仕切り受け１９が取付けてあり、後面枠材１５には後側仕切り受け２１が取付けてある。また、後面枠材１５の後端には、その左右にストッパキャップ２３が設けてある。
【００１２】
図１及び図６に示すように、棚板１は、前後に隣り合う複数の下フレーム２５と、下フレーム２５に架設したローラ２７と、上フレーム２９と、中間連結材（連結材）３１を備えている。尚、図６の上フレーム２９では、その上面にあるべき後述する第１突起４９、第２突起５１及び第３突起４８を省略している。
ローラ２７は樹脂製であり、円筒形状の側面を有するローラ本体２７ａと、ローラ本体２７ａの上底及び下底から突出するローラ軸２７ｂとを備えている。尚、本実施の形態では、下フレーム２５及び上フレーム２９も各々樹脂製である。
図１及び図２に示すように、下フレーム２５には、ローラ２７を架設する凹み状のローラ受け３３が前後方向に間隔をあけて列状に形成されており、図６に示すように、前後方向のローラ受け列３５は、左右方向に複数設けてある。図１、図２及び図６に示すように、各ローラ受け３３は、その左右端側にローラ軸２７ｂを支持する軸支持部３３ａが設けてあり、ローラ２７を回転自在に支持している。
図２に示すように、下フレーム２５には、その前側端部２５ａと後側端部２５ｂとの下面に溝状の第１被係止部３７と第２被係止部３９とが下フレーム２５の左右方向に亘って形成されている。また、下フレーム２５の各ローラ受け３３を仕切る仕切り部３４には、その上端に係合突起３８が上方に向けて突設されている。
【００１３】
図１及び図６に示すように、上フレーム２９は、複数の下フレーム２５に亘って載せてあり、この実施の形態では、４つの下フレ−ム２５に亘って載置してある。上フレーム２９には、各ローラ２７の上側面２７ｃを露出する開口部４１が形成してあるが、隣り合う下フレーム２５、２５間に位置する中間部４３には開口がない。また、図１及び図２に示すように、上フレーム２９の各開口部４１の前後には、下フレーム２５の係合突起３８を下から係合する突起係合溝４２が形成された係合部４５が設けてある。上フレーム２９の中間部４３には、略Ｔ字形状のＴ字係合溝４７が形成されている。
図１及び図４に示すように、上フレーム２９において、前後のローラ２７間に位置する係合部４５の上面には、ローラ２７の上側面２７ｃの頂点２７ｄ（図５参照）と略同一高さの第１突起４９が前後方向に亘って突条に設けてあり、図１、図４及び図５に示すように、中間連結材３１が位置する部分に対応する中間部４３にはローラ２７の上側面２７ｃの頂点２７ｄと略同一高さの第２突起５１が前後方向に亘って突条に設けてある。また、上フレーム２９には、左右に隣り合うローラ２７間に対応する位置に前後方向に長い第３突起４８が形成してある。この第３突起４８も第１突起４９及び第２突起５１と同様にローラ２７の上側面２７ｃの頂点２７ｄと略同一高さである。
【００１４】
図２及び図３に示すように、中間連結材３１は、下面部３１ａと、下面部３１の前後方向略中央から上方に突出する起立部３１ｂとを有し、下面部３１には起立部３１ｂの前側と後側に各々下フレーム２５の第１被係止部３７に係止する第１係止部５３と、第２被係止部３９に係止する第２係止部５５とが長手方向に形成されている。また、起立部３１ｂの上端部にはＴ字形状を成した上フレーム係合部５７が長手方向に形成されており、上フレーム２９のＴ字係合溝４７に係合してある。
また、図３に示すように、棚板１の後端部には、後端部連結材３２に設けてあり、後端部連結材３２は、断面略コ字形状を成し、下フレーム２５の後部に形成してある第１被係止部３７に係止する第１係止部５２と、第２被係止部３９に係止する第２係止部５４と、上フレーム２９の後端部に形成してあるコ字形状の後端被係止部５６に係止する第３係止部５８とを備えており、後端部に位置する下フレーム２５と上フレーム２９との後端部を連結している。
図６及び図７に示すように、棚板１の左右側の一側には、抜け止め部材５９が設けてある。この抜け止め部材５９は、左右に配置した棚板１、１のうち、右側の棚板１では右側端のみに設けてあり、左側の棚板１では左側端のみに設けてあり、中間連結材３１を取付けた後に装着して、側面における中間連結材３１の端面を覆っている。
【００１５】
図７及び図８に示すように、左右に隣り合う棚板１の間には、前後方向に長い補助部材６１が設けてあり、補助部材６１は、前面枠材１３の左右方向中間部と後面枠材１５の左右方向中間部にねじ６２で固定してあり、左右方向中間部に設けた仕切り壁６３により、左右の棚板１、１を仕切ってある。
【００１６】
次に、第１実施の形態にかかる棚板１の組立てについて説明する。
図１及び図６に示すように、下フレーム２５の各ローラ受け３３にローラ２７のローラ軸２７ｂを左右にして挿入することで、そのローラ２７を下フレーム２５のローラ受けに架設する。ローラ軸２７ｂはローラ受け３３の左右に設けてある軸支持部３３ａに回転自在に支持される。
そして、ローラ２７を架設した下フレーム２５を前後に隣り合わせに並べて、各下フレームの上に亘って上フレーム２９を被せ、上フレーム２９の各開口部４１からローラ２７の上側面２７ｃを露出する。
図４に示すように、中間連結材３１は、重ね合わせた下フレーム２５と上フレーム２９の左右側の一方の側面から挿入することで、第１係止部５３を第１被係止部３７に係止し、第２係止部５５を第２被係止部３９に係止すると共にＴ字係合溝４７に上フレーム係合部５７を係合して、前後に隣り合う下フレーム２５、２５と上フレーム２９とを同時に連結する。
【００１７】
また、図３に示すように、棚板１の後端において、後端部連結材３２は重ね合わせた下フレーム２５と上フレーム２９の左右側の一方の側面から挿入することで、下フレーム２５の第１被係止部３７と第２被係止部３９と上フレーム２９の後端係止部５６とに係止して、後側に位置する下フレーム２５、２５と上フレーム２９とを同時に連結する。
尚、図３及び図４では、便宜上、中間連結材３１及び後端部連結材３２は、下フレーム２５を下にして、左右方向の一側から挿入しているが、各連結材３１、３２を挿入するときには、隣り合わせに配置した下フレーム２５に上フレーム２９を載置した後、上下反転させて、下フレーム２５を上にした状態で、中間連結材３１を左右一側から挿入することで各フレーム２５、２９を連結する。
そして、左右方向の一側面に抜け止め部材５９を装着する。
【００１８】
この第１実施の形態によれば、図１〜図３に示すように、中間連結材（連結材）３１は下フレーム２５と上フレーム２９を連結しているので、上フレーム２９が下フレーム２５に対してずれたり外れることによるローラ２７の脱落を防止できる。
中間連結材３１は、隣り合う下フレーム２５を連結しているので、隣り合う下フレーム２５を一体に保持できると共に上フレーム２９にも連結することで、下フレーム２５の保持強度を高めることができる。
図１、図２及び図４に示すように、上フレーム２９において、前後のローラ２７、２７間に位置する係合部４５の上面に設けた第１突起４９により、前後のローラ２７、２７間に間隔をあけた場合でも上フレーム２９に載置した商品をローラ２７、２７間の第１突起４９で支持することで、ローラ２７、２７間に商品が落ち込んだり、前方に移動する商品が上下に波打って移動するのを防止でき、棚板１に載置した商品の移動をスムーズにできる。換言すれば、ローラ２７、２７の間隔を広くとってローラ２７の数を少なくできる。
また、中間連結材３１が位置する中間部４３の上面に設けた第２突起５１では、下フレーム２５、２５間で前後のローラ２７、２７間に間隔があくことになるが、この場合にも上フレーム２９に載置した商品をローラ２７、２７間の第２突起５１で支持することで、下フレーム２５、２５間でのローラ２７、２７間で商品が落ち込んだり、前方に移動する商品が上下に波打って移動するのを防止でき、棚板１に載置した商品の移動をスムーズにできる。
【００１９】
上フレーム２９は樹脂製であり、図１及び図４に示すように、上フレーム２９でローラ２７の上側面２７ｃを除く部分を覆っているので棚板１に載置する商品に対する摺動性が良く、且つローラ２７の上側面２７ｃを除く部分は外部から見えないので意匠性が良い。
図６及び図７に示すように、棚板１には、中間連結材３１を挿入した側面に連結材の抜け止め部材５９を設けているので、組み付け後の棚板１がばらけるのを防止できる。
図３に示すように、第１実施の形態では、棚板１の後端部には、後端部連結材３２を設けているので、更に、下フレーム２５と上フレーム２９とを強固に且つ安定に保持することができる。
図８に示すように、左右に配置した棚板１、１間には、前面枠材１３と後面枠材１５に固定した補助部材６１の仕切り壁６３により、左右の棚板１、１を仕切ってあるから、左右の棚板１、１の位置決めが容易にできる。
棚板１の組立ては、隣り合わせに配置した下フレーム２５に上フレーム２９を載置した後、上下反転させて、下フレーム２５を上にした状態で、中間連結材３１を一側から挿入しているので、中間連結材３１及び後端部連結材３２を取り付け易い。
上フレーム２９の上面には、左右に隣り合うローラ２７、２７間に対応する位置に前後方向に長い第３突起４８を設けているので、棚板１上の商品が左右のローラ２７、２７に跨って載置した場合や商品が大きい為にローラ２７の左右端を越えて載置した場合でも、第３突起４８がその商品を左右のローラ２７、２７間で支持することで、ローラ２７の左右端側で商品が落ち込むのを防止して、商品のスムーズな移動を図ることができる。
【００２０】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図９〜図１１に、本発明の第２実施の形態にかかる棚板１を示す。図１１に示すように、この第２実施の形態にかかる棚板１では、下フレーム２５は前後方向に一列にローラ２７を配置してあり、左右の各下フレーム２５、２５と上フレーム２９（図１０参照）とを中間連結材（連結材）３１で連結する構成としている。
即ち、図９及び図１０に示すように、下フレーム２５には、その左右側端部に各々第１被係止部３７のみが形成してあり、第１実施の形態における第２被係止部はない。また、上フレーム２９には、左右に隣り合うローラ２７、２７間に位置する中間部４３が設けてある。
中間連結材３１には、第１被係止部３７に係止する第１係止部５３のみが設けてあり、第１実施の形態における第２係止部５５はない。
尚、第２実施の形態では、前後のローラ２６は前後方向にほとんど間隔をあけないで配置しており、上フレーム２９には前後のローラ２６、２６間の位置に第１突起４９を設けていない点が第１実施の形態と異なっていると共に、第２突起４８は左右に隣り合うローラ２９、２９間に設けてあり且つ前後に亘って長く形成している。
【００２１】
そして、棚板１の組立ては、左右に下フレーム２５を並べた後、上フレーム２９を下フレームの上に載置した後、上下反転させて、下フレーム２５を上にした状態で、中間連結材３１を前後方向の一方から挿入して、隣り合う下フレーム２５、２５と上フレーム２９とを連結する。その後、第１実施の形態と同様に抜け止め部材５９を前端と後端とに各々取付ける。
【００２２】
この第２実施の形態によれば、第１実施の形態と同様に、中間連結材（連結材）３１は下フレーム２５と上フレーム２９を連結しているので、上フレーム２９が下フレーム２５に対してずれたり外れることによるローラ２７の脱落を防止できる。
中間連結材３１は、隣り合う下フレーム２５を連結しているので、隣り合う下フレーム２５を一体に保持できると共に上フレーム２９にも連結することで、下フレーム２５の保持強度を高めることができる。
上フレーム２９の上面には、左右に隣り合う下フレーム２５間のローラ２７、２７間に対応する位置に前後方向に長い第２突起５１を設けているので、棚板１上の商品が左右のローラ２７、２７に跨って載置した場合や商品が大きい為にローラ２７の左右端を越えて載置した場合でも、第２突起５１がその商品を左右のローラ間で支持することで、下フレーム２５、２５間のローラ２７の左右端側で商品が落ち込むのを防止して、商品のスムーズな移動を図ることができる。
上フレーム２９は樹脂製であり、図１及び図４に示すように、上フレーム２９でローラ２７の上側面２７ｃを除く部分を覆っているので棚板１に載置する商品に対する摺動性が良く、且つローラ２７の上側面２７ｃを除く部分は外部から見えないので意匠性が良い。
棚板１には、中間連結材３１を挿入した側面（前面）とその対向面（後面）に中間連結材３１の抜け止め部材５９を設けているので、組み付け後の棚板１がばらけるのを防止できる。
棚板１の組立ては、隣り合わせに配置した下フレーム２５に上フレーム２９を載置した後、上下反転させて、下フレーム２５を上にした状態で、中間連結材３１を一側から挿入しているので、中間連結材３１及び後端部連結材３２を取り付け易い。
【００２３】
本発明は、上述した実施の形態に限らず、本発明の要旨を逸脱しない範囲で種々変形可能である。
例えば、第１実施の形態において、図２に示すように、下フレーム２５に形成した第１被係止部３７と第２被係止部３９とは、これらの２つを形成することになく、いずれか一方のみの被係止部を形成し、中間連結材３１には被係止部３７、３９に対応して第１係止部５３又は第２係止部５５のいずれか一方のみを形成するものであっても良い。
また、上フレーム２９も複数の下フレーム２５に対して一つに限らず複数設けても良く、例えば、第１実施の形態にかかる変形例を図１２に示すように、２つの下フレーム２５に対して２つの上フレーム２９を設けて、隣り合う下フレーム２５同士と隣り合う上フレーム２９同士を連結すると共に下フレーム２５と上フレーム２９とを中間連結材３１で一緒に連結するものであっても良い。図１２に示す変形例では、隣り合う上フレーム２９間に形成したＴ字係合溝４７の前側端部と後側端部に各々下向き溝部４７ａを形成しており、中間連結材３１には、Ｔ字係合溝４７に対応して上フレーム係合部５７の前側端部と後側端部に各々下向きの係合突起部５７ａを形成してある。これにより、隣り合う上フレーム２９、２９同士と隣り合う下フレーム２５、２５同士とを連結すると共に各上フレーム２９と下フレーム２５とを一緒に連結できる。
また、第１及び第２実施の形態において、棚板１を構成する下フレーム２５の数は、２つのみであっても良いし、５つ設けるものであってもよく、隣り合わせに配置する下フレーム２５の数は制限されない。
第２実施の形態において、上フレーム２９の上面には、前後に隣り合うローラ２７、２７間に、第１実施の形態と同様に第１突起４９を設けても良い。
【符号の説明】
【００２４】
１    棚板
２５  下フレーム
２７  ローラ
２７ｃ  上側面
２７ｄ  上側面の頂点
２９  上フレーム
３１  中間連結材（連結材）
３３  ローラ受け
３３ａ  軸支持部
４１  開口部
４９  第１突起
５１  第２突起
【図１】
0006501502.tif 000002
【図２】
0006501502.tif 000003
【図３】
0006501502.tif 000004
【図４】
0006501502.tif 000005
【図５】
0006501502.tif 000006
【図６】
0006501502.tif 000007
【図７】
0006501502.tif 000008
【図８】
0006501502.tif 000009
【図９】
0006501502.tif 000010
【図１０】
0006501502.tif 000011
【図１１】
0006501502.tif 000012
【図１２】
0006501502.tif 000013